(57)【要約】【課題】  買物用バッグを常時忘れず持ち歩くことができ大きさや形状及びデザインが豊富で、財布、ハンカチ等の必需品が購入等した物品と混在することなく納まり、ハンドバッグと折畳バッグの機能を備えた複合バッグを提供する。【解決手段】  サイズ及び物品出入部の異なるハンドバッグ１０の外面と折畳バッグ２０の一部の外面とを縫いつけ等で結合し、折畳バッグ２０は折り畳んで係止ベルト３１で係止することにより、ハンドバッグ１０のデザインのアクセントとすることができ、広げた状態ではハンドバッグ１０が折畳バッグ２０のデザインのアクセントとなるよう構成する。【選択図】  図１
0003142320.tif 000002
【実用新案登録請求の範囲】
【請求項１】
ハンドバッグの外面と、前記ハンドバッグよりもサイズが大きくかつ折り畳み自在に形成される折畳バッグの外面とを、固着してなる複合バッグであって、
前記ハンドバッグ及び前記折畳バッグは、それぞれ開口部と持ち手とを備えることを特徴とする複合バッグ。
【請求項２】
前記折畳バッグを広げ前記折畳バッグの開口部から前記折畳バッグ内へ物品を収納可能とした状態において、前記ハンドバッグの持ち手を前記折畳バッグに係止する係止具を備えることを特徴とする請求項１記載の複合バッグ。
【請求項３】
前記折畳バッグを折り畳んだ状態において、折り畳まれた前記折畳バッグを前記ハンドバッグに係止する係止具を備えることを特徴とする請求項１又は請求項２記載の複合バッグ。
【考案の詳細な説明】
【技術分野】
【０００１】
本考案は、ハンカチ等の携帯品を収納するために使用されるハンドバッグと、買い物その他において一般に携帯品よりも大きな物品を収納するために使用される折畳バッグとを、これらの外面で固着した複合バッグに関するものである。
【背景技術】
【０００２】
ハンドバッグには、セカンドバッグ、ショルダーバッグ等種々の形態があるが、本明細書に言う「ハンドバック」とは、いずれの形態であっても差し支えなく、開閉自在な開口部と持ち手とを備え、ハンカチや財布等の携帯品を収納できるものであれば任意である。開口部は、開閉自在であれば任意であり、例えば、ファスナ、ホックその他の任意の周知手段によっても良い。
【０００３】
ハンドバックは、主に女性に使用されるが、本明細書にいう「ハンドバッグ」は、男性、子供あるいは高齢者に使用されるものであっても良い。要するに、携帯の便に優れた比較的小さなバッグを指している。ハンドバッグの収納スペースは限定されており、ハンドバッグに大きな荷物を詰めることはできない。
【０００４】
一方、ハンドバックに収納できない大きな荷物が発生する場合がある。例えば、買い物に出かけると、購入した物品が非常に小さい場合を除き、購入した物品をハンドバック自体に収納することは無理である。このため、ハンドバックとは別にサイズの大きな買物バッグを携帯することが多い。
【０００５】
昨今では、スーパーマーケット等の小売店で渡されるいわゆるレジ袋を減らすため、エコバッグと言われる折り畳み自在の袋をハンドバックと共に持参する購入客が増えているし、小売店もそのような持参を推奨している。この傾向は、無駄な資源消費を削減するために好ましい。
【０００６】
例えば今日買物をすることが予め分かっているときには、自宅を出る前にエコバックを用意し持参することは難しくない。しかしながら、分かっていてもついうっかりエコバックの持参を失念する場合もある。
【０００７】
さらには、買物をするつもりがなく自宅を出かけたが、外出先で特売品を見つけた場合など予定外に買物をする場合もある。このような場合、自宅にエコバックを用意してあったとしても、エコバックを結局使えないという結果になる。
【０００８】
これらの事態を避けるには、エコバックを小さく折り畳んでハンドバックの中に入れておくことが考えられる。しかしながら、ハンドバックの収納スペースはもともと非常に少なく、ハンドバックの内部に常時エコバックを入れておくと、その収納スペースをさらに少なくしてしまうため、携帯品の収納にも事欠き非現実的である。
【０００９】
さらに、エコバックを持参していたとしても、買い物後は、ハンドバッグとエコバッグのニつを別々に持ち運ばなければならず、両手がふさがるなど不便である。また、ハンドバックとエコバックとを単純に合体させただけでは、物の出し入れがやりづらくなりがちである。
【特許文献１】特開平９−２７６０１９号公報
【考案の開示】
【考案が解決しようとする課題】
【００１０】
そこで本考案は、ハンドバッグの収納スペースを犠牲にすることなく、買物用のバッグを常時忘れず持ち歩くことができ、物の出し入れが容易な複合バッグを提供することを目的とする。
【課題を解決するための手段】
【００１１】
第１の考案に係る複合バッグは、ハンドバッグの外面と、ハンドバッグよりもサイズが大きくかつ折り畳み自在に形成される折畳バッグの外面とを、固着してなる複合バッグであって、ハンドバッグ及び折畳バッグは、それぞれ開口部と持ち手とを備える。
【００１２】
この構成により、折畳バッグは、ハンドバックと常時一体的に構成されるため、折畳バッグの持参を失念する心配はないし、折畳バッグは、ハンドバッグの外側に位置するため、狭いハンドバッグの収納空間を折畳バッグが占めることはなく、ハンドバッグの収納空間を有効に活用できる。
【００１３】
ハンドバッグと折畳バッグとは、それぞれ開口部と持ち手を備えるから、ハンドバッグと折畳バッグとは、物の出し入れを互いに独立して容易に行える。
【００１４】
さらに、折畳バッグを開いて折畳バッグ内へ物を入れた場合には、折畳バッグの持ち手を持つことにより、折畳バッグだけでなくハンドバッグをも支持できるから、容易に持ち運びを行える。
【００１５】
第２の考案に係る複合バッグは、折畳バッグを広げ折畳バッグの開口部から折畳バッグ内へ物品を収納可能とした状態において、ハンドバッグの持ち手を折畳バッグに係止する係止具を備える。
【００１６】
この構成により、ハンドバッグの持ち手を係止具で折畳バッグへ係止することができ、折畳バッグに物を入れ折畳バッグの持ち手を持って物の持ち運びをする際に、ハンドバッグの持ち手が邪魔になることはない。
【００１７】
さらにこの際、広げられた折畳バッグの側面にハンドバッグが重ね合わされた外観となるから、ハンドバッグを折畳バッグの装飾体のように見せることができ、利用者はそのデザインを楽しむことができる。
【００１８】
第３の考案に係る複合バッグは、折畳バッグを折り畳んだ状態において、折り畳まれた折畳バッグをハンドバッグに係止する係止具を備える。
【００１９】
この構成により、折り畳まれた折畳バッグを係止具でハンドバッグへ係止することができ、ハンドバッグに携帯品を入れハンドバッグの持ち手を持って携帯品の持ち運びをする際に、折り畳まれた折畳バッグをすっきり納めることができ、持ち運びの邪魔にならない。
【００２０】
さらにこの際、ハンドバッグの側面に折り畳まれた折畳バッグが重ね合わされた外観となり、折り畳まれた折畳バッグをハンドバッグの装飾体のように見せることができ、利用者はそのデザインを楽しむことができる。
【考案の効果】
【００２１】
本考案は、以上のように構成したので、予定外の買い物時等でも折畳バッグを忘れる心配がない。
【００２２】
折り畳まれて係止具で係止された折畳バッグは、かさばらないし、ハンドバッグのデザインのアクセントとなってファッション性が高い。また、ハンドバッグの開口部は、折畳バッグにより邪魔されないので、ハンドバッグ内の財布、ハンカチ等の携帯品を容易に出し入れでき、複合バッグであっても、単にハンドバッグとしても利用可能である。さらに、折畳バッグの必要時にはさっと広げて何度でも使用することができる。
【００２３】
折畳バッグは、エコバックとして利用できるから、買い物世代でない若者や子供にも関心を持たせ環境問題への取り組みを促す効果がある。
【考案を実施するための最良の形態】
【００２４】
本実施の形態の要点は、次の通りである。
【００２５】
財布、ハンカチ等の必需品を納めるハンドバッグの外面と、買い物その他で購入等した物品を納める折畳バッグの外面の一部を縫いつけ等で結合させる。持ち手部がそれぞれのバッグに取り付けられており、物品の出し入れに伴う、荷重の変化に対応する。折畳バッグは、折りたたんで係止具（例えば、紐等に取り付けたボタン及びホック等）で係止すると、ハンドバッグのデザインのアクセントとなり、広げた状態ではハンドバッグが折畳バッグのデザインのアクセントとなる。
【００２６】
本考案のバッグは、ハンドバッグの外面と折畳バッグの外面を縫いつけ等で結合させられる面を有すれば、大きさや形伏及び持ち手の長さ等は幅広く採用できる。また、ハンドバッグや折畳バッグにデザインとしてポケットやロゴや装飾等を施すことも採用できる。
【００２７】
本考案の複合バッグは、サイズ及び開口部の異なる二つのバッグの結合体であればよく、折畳バッグを折りたたんで留めるための紐等に取り付けたボタン及びホックはファスナータイプのものや紐通し穴と紐等からなるタイプのものなどいずれでもよいが、使いやすさとデザインの点からボタン及びホックタイプのものを推奨できる。
【００２８】
以下図面を参照しながら、本考案の実施の形態をより具体的に説明する。ここで、図１は、本考案の一実施の形態に係る複合バッグにおいて折畳バッグを広げた状態を示す正面図、図２は、同背面図、図３は、本考案の一実施の形態に係る折畳バッグの開口部付近を示す拡大図である。
【００２９】
本形態の複合バッグは、ハンドバッグ１０の外面と、ハンドバッグ１０よりもサイズが大きくかつ折り畳み自在に形成される折畳バッグ２０の外面とを、固着してなる。ハンドバッグ１０及び折畳バッグ２０は、それぞれ開口部１２、２７と持ち手１１、２１とを備える。
【００３０】
また本形態の複合バッグは、折畳バッグ２０を広げ折畳バッグ２０の開口部２７から折畳バッグ２０内へ物品を収納可能とした状態において、ハンドバッグ１０の持ち手１１を折畳バッグ２０に係止する係止具を備える。
【００３１】
さらに、この係止具は、折畳バッグ２０を折り畳んだ状態において、折り畳まれた折畳バッグ２０をハンドバッグ１０に係止する。
【００３２】
折畳バッグ２０は、買い物その他において購入等した物品の持ち運びに十分な大きさとまち（バッグ底面の奥行き）をとり重量物の持ち運びにも耐えられるしっかりとした作りとし、折畳バッグ２０の持ち手部２１は、肩からかけられる長さを有するのが好ましい。
【００３３】
一方、ハンドバッグ１０は、好ましくは布製とするが、ハンドバッグ１０と折畳バッグ２０の固着に支障がないならば、皮製あるいは合成皮革製など種々の材料を使用しても良い。
【００３４】
本形態では、ハンドバッグ１０の開口部１２をファスナで開閉自在としているが、これもホックによるものやベルトによるものなど種々変更してもよい。さらに本形態では、持ち手１１を皮製のベルトで構成したがこれも必要に応じて種々変更して差し支えない。
【００３５】
さて図１、図２では、折畳バッグ２０を広げた状態が示されている。図１に示すように、本形態では、折畳バッグ２０の裏面２２側にハンドバッグ１０の表面１４（図６参照）が重ね合わさる状態で、折畳バッグ２０の裏面２２とハンドバッグ１０の表面１４とが縫い合わされることにより、ハンドバッグ１０と折畳バッグ２０とが固着される。
【００３６】
本形態では、この重ね合わされる面にＤカン３６を挾みこんだ状態で縫いつけを行う（図５参照）。なお、本形態で「表面」あるいは「裏面」といっているのは、ハンドバッグ１０あるいは折畳バッグ２０の外面を便宜上区別するために使用している表現に過ぎず、表裏を逆に呼んでも差し支えないし、さらに別の表現を使用しても良い。
【００３７】
本形態では、縫い合わせ部３０は、ハンドバッグ１０の表面１４側等に、ハンドバッグ１０の袋部の外形よりもやや小さな矩形状をなす。この形状は、折りたたまれた折畳バッグ２０の最小形状を特定する。
【００３８】
図１に示すように、ハンドバッグ１０と折畳バッグ２０とを固着し、折畳バッグ２０を広げると、折畳バッグ２０の広い裏面２２に、それよりも小さなハンドバッグ１０（ハンドバッグ１０の裏面１３が図１の正面を向く。）がアップリケのように付加的に取り付けられているような外観となる。即ち、ハンドバッグ１０を折畳バッグ２０につけた装飾体として利用できることになる。
【００３９】
一方、図２に示すように、本形態では、折畳バッグ２０の表面２３側には、ハンドバッグ１０が存在しないから、例えば、ポケット２４をつけたり、通しベルト２５を取り付けて、補助バッグ２６を付加するなど、折畳バッグ２０の表面２３を自由に活用できる。しかしながら、これらの構成は必須ではなく省略できる。
【００４０】
次に、本形態の係止具について説明する。すでに言及したＤカン３６は係止具の一つの要素であり、本形態ではその他に、次のように係止具を構成する。
【００４１】
図３は、本形態の折畳バッグ２０の開口部２７付近を拡大して示す。図３に示すように、折畳バッグ２０の裏面２２の上端部中央内側には、左右一対の係止ベルト３１の中央が止めホック３２により固定される。これらの係止ベルト３１の下半分は折畳バッグ２０の内部に位置し、下端に至る順に雄型ホック３６と雌型ホック３５とが装着されている。
【００４２】
一方、これらの係止ベルト３１の上半分は、図３に示すように折畳バッグ３０の開口部２７から上向きに突出する位置とすることもできるし、図１に示すように開口部２７で折り返して下向きとすることもできる。そして、この上半分には、上記ホック３６、３５と対応する位置に、それぞれ雌雄スナップする雌型ホック３４と雄型ホック３３とが装着される。
【００４３】
したがって、図３に一転鎖線で示すように、開口部２７と雄型ホック３６との間にハンドバッグ１０の持ち手１１を位置させると、係止ベルト３１の上半分を折返し、雌雄ホック３６、３４及び雌雄ホック３３、３５をそれぞれスナップ結合させ、図１に示すように持ち手１１を係止することができる。
【００４４】
なお、本形態の係止ベルト３１は、皮製ベルトからなるが、係止具は、係止に支障がない限り種々変更して差し支えない。例えば、金属製のチェーンやホック、面状ファスナ等周知の係止具を使用しても良い。
【００４５】
さらに、次に説明するように、本形態の係止具は、折畳バッグ２０を折り畳んだ状態において、折り畳まれた折畳バッグ２０をハンドバッグ１０に係止する機能をも有する。
【００４６】
以下、図４〜図７を参照しながら、折畳バッグ２０の折畳手順と折り畳まれた折畳バッグ２０の係止手順を説明する。
【００４７】
まず、図４に示すように、係止ベルト３１のホック３４、３３を外し、係止ベルト３１が折畳バッグ２０の開口部２７から上向きに突出する位置とする。そして、折畳バッグ２０の表面２３側から折畳バッグ２０の左右両側部を中央側へ向かって折り畳む。
【００４８】
この際、図１に示した縫い合わせ部３０は折畳み得る限界を示しており、縫い合わせ部３０の左右両辺に沿うまで折り畳めばよい。
【００４９】
折畳バッグ２０の左右両側部を畳み終わったら、図５に示すように、折畳バッグ２０の下側を、縫い合わせ部３０の下辺に沿って上向きに折り返す。その結果、本形態では、上述したＤカン３６が固定ベルト２８の下端部とともに外部へ露呈する。また、折畳バッグ２０のかなりの部分がめくられた結果となるから、ハンドバッグ１０の表面１４の一部が使用者の視界に入ることになる。
【００５０】
次に図６に示すように、縫い合わせ部３０の上辺に沿って折畳バッグ２０の上側を折り返すと折り畳まれた折畳バッグ２０は、縫い合わせ部３０の形状にならいほぼ矩形となる。
【００５１】
このとき、止めホック３２は、Ｄカン３６とほぼ同じ位置となり、係止ベルト３１は、その裏面が正面を向き止めホック３２よりも下側へ延出し、係止ベルト３１に装着された雌型ホック３４と雄型ホック３３とがその下端部に位置する。
【００５２】
さらに、これらのホック３４、３３と対応する位置（折り畳まれた折畳バッグ２０の裏面２２側）には、雄型ホック３６、雌型ホック３５が位置する。
【００５３】
次に、係止ベルト３１をＤカン３６に通し、Ｄカン３６で上向きに折返し、ホック３４、３６及びホック３３、３５をそれぞれスナップ結合させると、図７に示す状態となる。図７を見れば明らかなように、この状態では、折り畳まれた折畳バッグ２０と係止ベルト３１等があたかもハンドバッグ１０に付した装飾体のように見える。
【００５４】
したがって、少なくとも折畳バッグ２０の裏面２２に所望の図柄を施せば、それがハンドバッグ１０のデザインのアクセントとなる。
【００５５】
図７では、水玉の模様２９を施しているがこれは例示に過ぎない。趣向に応じて、所望の色彩、形状、文字、図柄などの意匠を、折畳バッグ２０に施すことができる。
【００５６】
ここで、上述した折畳バッグ２０の折畳要領は一例であって、他の折り方によっても良い。さらに、上記過程のいずれにおいてもハンドバッグ１０の開口部１２は邪魔されることなく開閉できる。上記過程のいずれにおいても、図８に示すように、本形態ではファスナを開いて開口部１２をあけ、ハンドバッグ１０に収納されている携帯品を容易に出し入れできるようになっている。
【００５７】
このように、本考案の複合バッグは、それ１つでハンドバッグと折畳バッグの機能を同時にはたすことが可能である。
【図面の簡単な説明】
【００５８】
【図１】本考案の一実施の形態に係る複合バッグにおいて折畳バッグを広げた状態を示す正面図である。
【図２】本考案の一実施の形態に係る複合バッグにおいて折畳バッグを広げた状態を示す背面図である。
【図３】本考案の一実施の形態に係る折畳バッグの開口部付近を示す拡大図である。
【図４】本考案の一実施の形態に係る折畳バッグの折畳手順を示す説明図である。
【図５】本考案の一実施の形態に係る折畳バッグの折畳手順を示す説明図である。
【図６】本考案の一実施の形態に係る折畳バッグの折畳手順を示す説明図である。
【図７】本考案の一実施の形態に係る折畳バッグの係止手順を示す説明図である。
【図８】本考案の一実施の形態に係るハンドバッグの開口部付近を示す拡大図である。
【符号の説明】
【００５９】
１０  ハンドバッグ
１１、２１  持ち手
１２、２７  開口部
１３、２２  裏面
１４、２３  表面
２０  折畳バッグ
２４  ポケット
２５  通しベルト
２６  補助バッグ
２８  固定ベルト
２９  模様
３０  縫い合わせ部
３１  係止ベルト
３２  止めホック
３３、３６  雄型ホック
３４、３５  雌型ホック
３６  Ｄカン
【図１】
0003142320.tif 000003
【図２】
0003142320.tif 000004
【図３】
0003142320.tif 000005
【図４】
0003142320.tif 000006
【図５】
0003142320.tif 000007
【図６】
0003142320.tif 000008
【図７】
0003142320.tif 000009
【図８】
0003142320.tif 000010